(57)【要約】【課題】性能低下及びコスト増大を抑制するリモートコントロール装置の提供。【解決手段】リモコン３０は、電極ユニット７１を含むタッチパネル７０と、前面部３２側から見てタッチパネル７０と重畳するように配置される液晶表示部６０と、ケーシング３１とを備える。ケーシング３１は、設置状態で、側壁ＳＷに面する背面部３３と、室内空間ＳＩに面する前面部３２とを有する。電極ユニット７１は、タッチ位置検出用の電極として機能するタッチ電極部７２と、外部機器１１０と無線通信を行うためのアンテナとして機能するアンテナ電極部７３とを有する。タッチ電極部７２及びアンテナ電極部７３は、ケーシング３１内で背面部３３よりも前面部３２に近接し前面部３２側から見た場合に重畳しないように配置される。電極ユニット７１において、タッチ電極部７２を構成する電極の一部がアンテナ電極部７３として機能する。【選択図】図３
2018124056.tif 000002
【特許請求の範囲】
【請求項１】
室内空間（ＳＩ）を形成する側壁（ＳＷ）に設置され、空調機（１００）又はヒートポンプ装置と有線通信を行うリモートコントロール装置（３０、３０ａ）であって、
電極ユニット（７１）を含むタッチパネル（７０）と、
液晶表示部（６０）と、
前記タッチパネル及び前記液晶表示部を収容するケーシング（３１）と、
を備え、
前記ケーシングは、設置状態において、前記側壁に面する背面部（３３）と、前記室内空間に面する前面部（３２）と、を有し、
前記液晶表示部は、前記前面部側から見た場合に前記タッチパネルと重畳するように配置され、
前記電極ユニットは、タッチ位置検出用の電極として機能する第１電極部（７２）と、他の通信装置（１１０）と無線通信を行うためのアンテナとして機能する第２電極部（７３）と、
を有し、
前記第１電極部及び前記第２電極部は、前記ケーシング内において、前記背面部よりも前記前面部に近接し、前記前面部側から見た場合に重畳しないように配置され、
前記電極ユニットにおいて、前記第１電極部を構成する電極の一部が前記第２電極部として機能する、
リモートコントロール装置（３０、３０ａ）。
【請求項２】
空調機（１００）又はヒートポンプ装置と通信を行うリモートコントロール装置（３０、３０ａ）であって、
電極ユニット（７１）を含むタッチパネル（７０）と、
液晶表示部（６０）と、
前記タッチパネル及び前記液晶表示部を収容するケーシング（３１）と、
を備え、
前記ケーシングは、厚み方向の長さ（ｔ１）が縦方向の長さ（ｈ１）及び横方向の長さ（ｗ１）よりも短い筐体であり、一方の主面を構成する前面部（３２）と、他方の主面を構成し前記前面部に対向する背面部（３３）と、を有し、
前記液晶表示部は、前記前面部側から見た場合に前記タッチパネルと重畳するように配置され、
前記電極ユニットは、タッチ位置検出用の電極として機能する第１電極部（７２）と、他の通信装置（１１０）と無線通信を行うためのアンテナとして機能する第２電極部（７３）と、
を有し、
前記第１電極部及び前記第２電極部は、前記ケーシング内において、前記背面部よりも前記前面部に近接し、前記前面部側から見た場合に互いに外れて配置され、
前記電極ユニットにおいて、前記第１電極部を構成する電極の一部が前記第２電極部として機能する、
リモートコントロール装置（３０、３０ａ）。
【請求項３】
前記タッチパネルは、グランドに接続されるグランド部（７４）をさらに含み、
前記グランド部は、前記前面部側から見た場合に前記第１電極部と前記第２電極部との間に位置する、
請求項１又は２に記載のリモートコントロール装置（３０、３０ａ）。
【請求項４】
前記無線通信は、近距離無線通信（NFC, Near Field Communication）である、
請求項１から３のいずれか１項に記載のリモートコントロール装置（３０、３０ａ）。
【請求項５】
前記タッチパネルがタッチされた位置を検知するタッチ検知部（８０）をさらに備え、
前記タッチ検知部は、前記無線通信が行われている間は前記検知を停止する、
請求項１から４のいずれか１項に記載のリモートコントロール装置（３０、３０ａ）。
【請求項６】
前記液晶表示部のバックライトの動作を制御するバックライト制御部（８０）をさらに備え、
前記バックライト制御部は、前記無線通信が行われているときには前記液晶表示部のバックライトを所定のカラーで点灯させる、
請求項１から５のいずれか１項に記載のリモートコントロール装置（３０、３０ａ）。
【請求項７】
前記無線通信は、前記通信装置を介して前記空調機又は前記ヒートポンプ装置の各種設定を行う際に行われる、
請求項１から６のいずれか１項に記載のリモートコントロール装置（３０、３０ａ）。
【発明の詳細な説明】
【技術分野】
【０００１】
本発明は、リモートコントロール装置に関する。
【背景技術】
【０００２】
従来、他の通信装置と無線通信が可能な通信装置がある。例えば、特許文献１（特開２０１３−１７１０８号公報）には、本体正面側にタッチパネル及びディスプレイを配置されるとともに本体背面側に無線通信用のアンテナを配置され、他の通信装置と無線通信を行えるように構成された通信装置が開示されている。
【発明の概要】
【発明が解決しようとする課題】
【０００３】
しかし、側壁に設置されるタイプの空調機又はヒートポンプ装置用リモートコントロール装置として特許文献１の通信装置を適用した場合、無線通信用のアンテナが本体の背面（側壁）側に位置することとなり、近距離無線通信（NFC, Near Field Communication）等の無線通信においてはアンテナの機能が発揮されにくく無線通信の性能が低下することが想定される。一方で、本体正面側に無線通信用のアンテナを配置した場合、アンテナを配置するスペースを確保することによってディスプレイの面積が縮小されることとなり、操作性が低下しやすい。また、係る場合、タッチパネルとは別に無線通信用のアンテナを配設する分、コストがかかる。
【０００４】
そこで、本発明の課題は、性能低下及びコスト増大を抑制するリモートコントロール装置を提供することである。
【課題を解決するための手段】
【０００５】
本発明の第１観点に係るリモートコントロール装置は、室内空間を形成する側壁に設置され、空調機又はヒートポンプ装置と有線通信を行うリモートコントロール装置であって、タッチパネルと、液晶表示部と、ケーシングと、を備える。タッチパネルは、電極ユニットを含む。ケーシングは、タッチパネル及び液晶表示部を収容する。ケーシングは、背面部と、前面部と、を有する。背面部は、設置状態において、側壁に面する。前面部は、設置状態において、室内空間に面する。液晶表示部は、前面部側から見た場合に、タッチパネルと重畳するように配置される。電極ユニットは、第１電極部と、第２電極部と、を有する。第１電極部は、タッチ位置検出用の電極として機能する。第２電極部は、他の通信装置と無線通信を行うためのアンテナとして機能する。第１電極部及び第２電極部は、ケーシング内において、背面部よりも前面部に近接する。第１電極部及び第２電極部は、前面部側から見た場合に重畳しないように配置される。電極ユニットにおいて、第１電極部を構成する電極の一部が、第２電極部として機能する。
【０００６】
本発明の第１観点に係るリモートコントロール装置では、タッチパネルは、電極ユニットを含み、電極ユニットは、タッチ位置検出用の電極として機能する第１電極部と、他の通信装置と無線通信を行うためのアンテナとして機能する第２電極部と、を有する。これにより、タッチパネルの電極ユニットの一部が、無線通信用のアンテナとして機能する。その結果、タッチパネルの電極ユニットとは別にアンテナを配置する必要がなくなり、コストが抑制される。
【０００７】
また、本発明の第１観点に係るリモートコントロール装置では、第１電極部及び第２電極部は、ケーシング内において、背面部よりも前面部に近接し、前面部側から見た場合に重畳しないように配置される。これにより、近距離無線通信（NFC, Near Field Communication）等の無線通信においても、第２電極部がアンテナとしての機能を発揮しやすく、無線通信の性能低下が抑制される。また、液晶表示部の面積を縮小する必要もなく、操作性の低下が抑制される。
【０００８】
本発明の第２観点に係るリモートコントロール装置は、空調機又はヒートポンプ装置と通信を行うリモートコントロール装置であって、タッチパネルと、液晶表示部と、ケーシングと、を備える。タッチパネルは、電極ユニットを含む。ケーシングは、タッチパネル及び液晶表示部を収容する。ケーシングは、厚み方向の長さが縦方向の長さ及び横方向の長さよりも短い筐体である。ケーシングは、前面部と、背面部と、を有する。前面部は、ケーシングの一方の主面を構成する。背面部は、ケーシングの他方の主面を構成する。背面部は、前面部に対向する。液晶表示部は、前面部側から見た場合にタッチパネルと重畳するように配置される。電極ユニットは、第１電極部と、第２電極部と、を有する。第１電極部は、タッチ位置検出用の電極として機能する。第２電極部は、他の通信装置と無線通信を行うためのアンテナとして機能する。第１電極部及び第２電極部は、ケーシング内において、背面部よりも前面部に近接する。第１電極部及び第２電極部は、前面部側から見た場合に互いに外れて配置される。電極ユニットにおいて、第１電極部を構成する電極の一部が、第２電極部として機能する。
【０００９】
本発明の第２観点に係るリモートコントロール装置では、タッチパネルは、電極ユニットを含み、電極ユニットは、タッチ位置検出用の電極として機能する第１電極部と、他の通信装置と無線通信を行うためのアンテナとして機能する第２電極部と、を有する。これにより、タッチパネルの電極ユニットの一部が、無線通信用のアンテナとして機能する。その結果、タッチパネルの電極ユニットとは別にアンテナを配置する必要がなくなり、コストが抑制される。
【００１０】
また、本発明の第２観点に係るリモートコントロール装置では、第１電極部及び第２電極部は、ケーシング内において、背面部よりも前面部に近接し、前面部側から見た場合に互いに外れて配置される。これにより、近距離無線通信（NFC, Near Field Communication）等の無線通信においても、第２電極部がアンテナとしての機能を発揮しやすく、無線通信の性能低下が抑制される。また、液晶表示部の面積を縮小する必要もなく、操作性の低下が抑制される。
【００１１】
本発明の第３観点に係るリモートコントロール装置は、第１観点又は第２観点に係るリモートコントロール装置であって、タッチパネルは、グランド部をさらに含む。グランド部は、グランドに接続される。グランド部は、前面部側から見た場合に第１電極部と第２電極部との間に位置する。
【００１２】
本発明の第３観点に係るリモートコントロール装置では、タッチパネルは、前面部側から見た場合に第１電極部と第２電極部との間に位置するグランド部をさらに含む。これにより、第２電極部が、第１電極部からのノイズを受けにくくなり、アンテナとしての機能をさらに発揮しやすい。よって、通信性能の低下がさらに抑制される。
【００１３】
本発明の第４観点に係るリモートコントロール装置は、第１観点から第３観点のいずれかに係るリモートコントロール装置であって、無線通信は、近距離無線通信（NFC, Near Field Communication）である。
【００１４】
本発明の第４観点に係るリモートコントロール装置では、無線通信は、近距離無線通信（NFC, Near Field Communication）である。これにより、他の通信装置と近距離無線通信を行うリモートコントロール装置において、コスト増大及び性能低下が抑制される。
【００１５】
なお、近距離無線通信（NFC, Near Field Communication）は、１３．５６ＭＨｚの周波数を用いて数センチからおよそ1メートル程度の近距離における双方向通信を可能とする通信方式であって、国際標準の一つである。
【００１６】
本発明の第５観点に係るリモートコントロール装置は、第１観点から第４観点のいずれかに係るリモートコントロール装置であって、タッチ検知部をさらに備える。タッチ検知部は、タッチパネルがタッチされた位置を検知する。タッチ検知部は、無線通信が行われている間は検知を停止する。
【００１７】
本発明の第５観点に係るリモートコントロール装置では、タッチパネルがタッチされた位置を検知するタッチ検知部をさらに備え、タッチ検知部は、無線通信が行われている間は検知を停止する。これにより、第２電極部は、他の通信装置と無線通信中においてノイズをさらに受けにくくなり、通信性能の低下がさらに抑制される。
【００１８】
本発明の第６観点に係るリモートコントロール装置は、第１観点から第５観点のいずれかに係るリモートコントロール装置であって、バックライト制御部をさらに備える。バックライト制御部は、液晶表示部のバックライトの動作を制御する。バックライト制御部は、無線通信が行われているときには、液晶表示部のバックライトを所定のカラーで点灯させる。
【００１９】
本発明の第６観点に係るリモートコントロール装置では、バックライト制御部は、無線通信が行われているときには液晶表示部のバックライトを所定のカラーで点灯させる。これにより、他の通信装置と無線通信が行われる際、他の通信装置と無線通信中であることを操作者が認識しやすくなり、操作性が向上する。
【００２０】
本発明の第７観点に係るリモートコントロール装置は、第１観点から第６観点のいずれかに係るリモートコントロール装置であって、無線通信は、通信装置を介して空調機又はヒートポンプ装置の各種設定を行う際に行われる。
【００２１】
本発明の第７観点に係るリモートコントロール装置では、無線通信は、通信装置を介して空調機又はヒートポンプ装置の各種設定を行う際に行われる。これにより、空調機又はヒートポンプ装置の各種設定を行う際における入力手段の多様な選択が可能となり、操作性が向上する。また、リモコン本体に内蔵するメモリの容量を抑えることも可能となり、コスト抑制が実現される。
【発明の効果】
【００２２】
本発明の第１観点に係るリモートコントロール装置では、タッチパネルの電極ユニットとは別にアンテナを配置する必要がなくなり、コストが抑制される。また、近距離無線通信（NFC, Near Field Communication）等の無線通信においても、無線通信の性能低下が抑制される。また、液晶表示部の面積を縮小する必要もなく、操作性の低下が抑制される。
【００２３】
本発明の第２観点に係るリモートコントロール装置では、タッチパネルの電極ユニットとは別にアンテナを配置する必要がなくなり、コストが抑制される。また、近距離無線通信（NFC, Near Field Communication）等の無線通信においても、無線通信の性能低下が抑制される。また、液晶表示部の面積を縮小する必要もなく、操作性の低下が抑制される。
【００２４】
本発明の第３観点に係るリモートコントロール装置では、通信性能の低下がさらに抑制される。
【００２５】
本発明の第４観点に係るリモートコントロール装置では、他の通信装置と近距離無線通信を行うリモートコントロール装置において、コスト増大及び性能低下が抑制される。
【００２６】
本発明の第５観点に係るリモートコントロール装置では、通信性能の低下がさらに抑制される。
【００２７】
本発明の第６観点に係るリモートコントロール装置では、操作性が向上する。
【００２８】
本発明の第７観点に係るリモートコントロール装置では、操作性が向上するとともにコスト抑制が実現される。
【図面の簡単な説明】
【００２９】
【図１】本発明の一実施形態に係るリモートコントロール装置を有する空調システムの概略構成図。
【図２】室内ユニット及びリモートコントロール装置の設置状態を示した模式図。
【図３】設置時におけるリモートコントロール装置の正面図。
【図４】設置時におけるリモートコントロール装置の右側面図。
【図５】リモートコントロール装置の概略構成図。
【図６】電極ユニットの模式図。
【図７】リモコン制御部による処理の流れの一例を示したフローチャート。
【図８】変形例Ｈに係るリモートコントロール装置の正面図。
【発明を実施するための形態】
【００３０】
以下、図面を参照しながら、本発明の一実施形態に係るリモートコントロール装置３０について説明する。なお、以下の実施形態は、本発明の具体例であって、本発明の技術的範囲を限定するものではなく、発明の要旨を逸脱しない範囲で適宜変更が可能である。また、以下の実施形態において、上、下、左、右、正面（前）又は背面（後）といった方向は、図３、図４又は図８に示す方向を意味する。
【００３１】
本実施形態におけるリモートコントロール装置３０（以下、リモコン３０と記載）は、空調システム１００に適用されている。
【００３２】
（１）空調システム１００
図１は、リモコン３０を有する空調システム１００の概略構成図である。図２は、室内ユニット２０及びリモートコントロール装置３０の設置状態を示した模式図である。
【００３３】
空調システム１００は、冷媒配管方式の空調システムであって、蒸気圧縮方式の冷凍サイクル運転を行うことで、対象空間の空気調和を実現する。本実施形態において、空調システム１００は、室内空間ＳＩの空気調和を行う。空調システム１００は、運転モードとして、冷房モード、暖房モード及び除湿モード等を有しており、選択された運転モードに応じて冷房運転、暖房運転又は除湿運転等を行う。
【００３４】
空調システム１００は、主として、室外ユニット１０と、室内ユニット２０と、リモコン３０と、を備えている。空調システム１００においては、室外ユニット１０と室内ユニット２０とが液冷媒配管ＬＰ及びガス冷媒配管ＧＰで接続されることで、冷媒回路が構成されている。
【００３５】
（１−１）室外ユニット１０
室外ユニット１０は、ベランダや地下室等の室外に設置される。室外ユニット１０は、略直方体状の室外ユニットケーシング１１を有している。室外ユニット１０は、室外ユニットケーシング１１の内部において、主として、圧縮機、四路切換弁、室外熱交換器、膨張弁、室外ファン、室外電源部及び室外ユニット制御部等を収容されている（図示省略）。
【００３６】
圧縮機は、低圧のガス冷媒を吸入し、圧縮して吐出する機構である。四路切換弁は、冷房運転と暖房運転との切換時に、冷媒の流れる方向を切り換えるための弁である。室外熱交換器は、冷房運転時には冷媒の凝縮器として機能し、暖房運転時には冷媒の蒸発器として機能する熱交換器である。膨張弁は、高圧の冷媒を減圧する。膨張弁は、例えば運転状況に応じて開度が調整される電動弁である。室外ファンは、外部から室外ユニット１０内に流入し室外熱交換器を通過してから室外ユニット１０外へ流出する空気流を生成する。室外電源部は、外部電源と接続されて電源を供給される。
【００３７】
室外ユニット制御部は、ＣＰＵやメモリ等で構成されるマイクロコンピュータを含む。室外ユニット制御部は、室外ユニット１０内の機器の動作を制御する。室外ユニット制御部は、室内ユニット制御部２２（後述）とケーブルＣ１で接続されており、相互に信号の送受信を行う。
【００３８】
（１−２）室内ユニット２０
室内ユニット２０は、例えば、いわゆる天井埋込み型、天井吊下げ型又は壁掛け型の室内機である。本実施形態において、室内ユニット２０は、天井埋め込み形のものが採用されており、吹出口や吸込みグリルが天井ＣＩから室内空間ＳＩに露出するように天井裏に設置されている。室内ユニット２０は、その外郭を室内ユニットケーシング２１によって構成されている。室内ユニット２０は、室内ユニットケーシング２１の内部において、室内熱交換器（図示省略）、室内ファン（図示省略）、室内電源部（図示省略）及び室内ユニット制御部２２等を収容されている。
【００３９】
室内熱交換器は、冷房運転時には冷媒の蒸発器として機能し、暖房運転時には冷媒の凝縮器として機能する。室内ファンは、室内ユニット２０内に流入して室内熱交換器を通過した後に室内ユニット２０外に流出する空気流を生成する送風機である。室内電源部は、室外電源部と接続されて電源を供給される。
【００４０】
室内ユニット制御部２２は、ＣＰＵやメモリ等で構成されるマイクロコンピュータを含む。室内ユニット制御部２２は、ケーブルＣ１を介して室外ユニット制御部と接続されており、相互に信号の送受信を行っている。また、室内ユニット制御部２２は、ケーブルＣ２を介してリモコン制御部８０（後述）と接続されており、相互に信号の送受信を行っている。室内ユニット制御部２２は、室外ユニット制御部又はリモコン制御部８０から所定の信号を受信すると、当該信号に対応する処理を行う。
【００４１】
（１−３）リモコン３０
図３は、設置時におけるリモコン３０の正面図である。図４は、設置時におけるリモコン３０の右側面図である。図５は、リモコン３０の概略構成図である。
【００４２】
リモコン３０は、いわゆる有線式のリモートコントロール装置であって、ケーブルＣ２を介して室内ユニット制御部２２と接続されている。また、リモコン３０は、室内電源部と接続されて電源を供給される。リモコン３０は、例えば室内の内壁等に設置される。本実施形態では、リモコン３０は、取付部材（図示省略）を介して室内空間ＳＩの側壁ＳＷに固定されている。
【００４３】
リモコン３０は、空調システム１００の運転開始及び停止、運転モード、設定温度、設定風量、風向、タイマー設定、時刻又は表示言語等の設定項目の変更や切換えを行うための各種指示を、空調システム１００に入力するためのインターフェースとして機能する。例えば、リモコン３０では、物理キー４０（後述）やタッチパネル７０（後述）を用いて各種指示を入力することが可能である。また、外部機器１１０から近距離無線通信によって制御信号を送信することでリモコン３０に各種指示を送ることも可能である。
【００４４】
なお、外部機器１１０（特許請求の範囲記載の「通信装置」に相当）は、無線通信用アンテナを備えた機器であり、本実施形態においてはスマートフォンやタブレットＰＣ等の情報端末を想定しているが、他のＰＣやＩＣカード等であってもよい。また、近距離無線通信（NFC, Near Field Communication）は、１３．５６ＭＨｚの周波数を用いて数センチからおよそ1メートル程度の近距離における双方向通信を可能とする通信方式であって、国際標準の一つである。
【００４５】
また、リモコン３０は、空調システム１００の運転状態や設定項目を表示する表示装置として機能する。例えば、リモコン３０は、運転状態における空調システム１００の運転モード、設定温度、設定風量、風向、タイマー設定又は時刻等の設定項目を所定の表示言語で表示する。
【００４６】
また、リモコン３０は、空調システム１００における各種の制御プログラムを更新するためのインターフェースとしても機能する。例えば、室外ユニット制御部、室内ユニット制御部２２又はリモコン制御部８０の制御プログラムが更新された場合には、リモコン３０は、外部機器１１０と近距離無線通信を行って更新後のプログラムを取得することが可能である。
【００４７】
（２）リモコン３０の詳細
リモコン３０は、例えば合成樹脂製のケーシング３１を有している。ケーシング３１は、厚みｔ１（厚み方向の長さ）が高さｈ１（縦方向の長さ）及び幅ｗ１（横方向の長さ）よりも短い薄型の筐体であって、正面視において略長方形状を呈している。ケーシング３１は、一方の主面を構成する前面部３２と、他方の主面を構成する背面部３３と、を含んでいる。前面部３２と背面部３３とは互いに対向している。リモコン３０が側壁ＳＷに設置された状態においては、前面部３２は室内空間ＳＩ（前）方向に面し、背面部３３は側壁ＳＷ（後）方向に面する。
【００４８】
ケーシング３１は、ガラス又はアクリル樹脂等で構成された透明のカバー３１０を有している。カバー３１０は、前面部３２の中央部分に配置されている。すなわち、前面部３２は、カバー３１０を含んでいる。換言すると、カバー３１０は、前面部３２の一部を構成しているともいえる。
【００４９】
リモコン３０は、ケーシング３１の内部に、主として、物理キー４０と、電源表示部４３と、タッチスクリーン５０と、リモコン制御部８０と、を有している。
【００５０】
（２−１）物理キー４０、電源表示部４３
物理キー４０は、空調システム１００の運転を開始又は停止させる指示をユーザが入力するプッシュ式のボタンである。具体的に、空調システム１００が停止状態にある場合に物理キー４０を押下すると空調システム１００が運転を開始する。また、空調システム１００が運転状態にある場合に物理キー４０を押下すると空調システム１００が停止する。
【００５１】
物理キー４０は、ケーシング３１の正面側の左上部に配置されている。物理キー４０は、キートップ４１及び物理キー電極部４２を含んでいる。キートップ４１は、ケーシング３１に形成された開口から正面側に露出している。物理キー電極部４２はリモコン制御部８０と接続されており、物理キー４０が押下されるとリモコン制御部８０へ所定の信号が出力される。
【００５２】
電源表示部４３は、ＬＥＤ等の発光部である。電源表示部４３は、物理キー４０に隣接して配置されている。電源表示部４３は、リモコン制御部８０によって動作を制御される。具体的に、電源表示部４３は、空調システム１００が運転状態にある場合には点灯し、停止状態にある場合には消灯する。
【００５３】
（２−２）タッチスクリーン５０
タッチスクリーン５０は、リモコン３０の正面側の中央部分に配置されている。具体的に、タッチスクリーン５０は、カバー３１０の背面側に近接して配置されている。
【００５４】
タッチスクリーン５０は、リモコン３０において、各種指示を入力するための入力手段として機能する。具体的に、タッチスクリーン５０は、第１タッチ入力部５１ａ、第２タッチ入力部５１ｂ、第３タッチ入力部５１ｃ、第４タッチ入力部５１ｄ、第５タッチ入力部５１ｅ、第６タッチ入力部５１ｆ、第７タッチ入力部５１ｇを有している（以下、これらをタッチ入力部５１と総称する）。各タッチ入力部５１は各種指示と関連付けられており、ユーザは各タッチ入力部５１を指やスタライスペン等でタッチすることで所望の指示を入力することが可能である。
【００５５】
例えば、第１タッチ入力部５１ａをタッチすることで運転モードの設定が可能となる。また、第２タッチ入力部５１ｂをタッチすることで設定温度の設定が可能となる。また、第３タッチ入力部５１ｃをタッチすることで風量の設定が可能となる。また、第４タッチ入力部５１ｄをタッチすることで風向の設定が可能となる。また、第５タッチ入力部５１ｅをタッチすることでタイマー又は時刻の設定が可能となる。また、第６タッチ入力部５１ｆ又は第７タッチ入力部５１ｇをタッチすることで、現在選択している設定項目のレベルやモード等を変更することが可能である。
【００５６】
また、タッチスクリーン５０は、各種の情報を表示する表示手段としても機能する。具体的に、タッチスクリーン５０は、運転状態において、各タッチ入力部５１と重畳するように所定のアイコンや情報を表示する。当該表示により、ユーザが各タッチ入力部５１に関連付けられた各種指示を識別できるようになっている。
【００５７】
例えば、第１タッチ入力部５１ａと重畳するように、選択されている運転モードが表示される（図３では、冷房モードが選択されていることを示す「冷房」の文字が表示されている）。また、第２タッチ入力部５１ｂと重畳するように、選択されている設定温度が表示される（図３では、選択されている設定温度を示す「設定２８℃」の文字が表示されている）。また、第３タッチ入力部５１ｃと重畳するように、選択されている風量が表示される（図３では、選択されている風量を示す「強風」の文字及びアイコンが表示されている）。また、第４タッチ入力部５１ｄと重畳するように、選択されている風向が表示される（図３では、選択されている風向を示すアイコンが表示されている）。また、第５タッチ入力部５１ｅと重畳するように、現在時刻及びタイマーオフ時刻が表示される（図３では、選択されている現在時刻「１０：１０」及びタイマーオフ時刻「タイマーオフ１１：１０」を示す文字及び数字が表示されている）。また、第６タッチ入力部５１ｆ又は第７タッチ入力部５１ｇと重畳するように、カーソルを示すアイコンが表示される。
【００５８】
また、タッチスクリーン５０は、外部機器１１０と近距離無線通信を行うためのインターフェースとしても機能する。具体的に、タッチスクリーン５０の下部には、近距離無線通信用のアンテナとして機能するアンテナ部５２が構成されている。これにより、リモコン３０は、外部機器１１０と近距離無線通信を行うことが可能である。なお、タッチスクリーン５０では、アンテナ部５２と重畳するように「ＮＦＣ通信エリア」の文字が表示されており、ユーザが近距離無線通信を行う際にアンテナ部５２の位置を認識できるようになっている（図３参照）。
【００５９】
タッチスクリーン５０は、主として、液晶表示部６０と、タッチパネル７０と、で構成されている。
【００６０】
（２−２−１）液晶表示部６０
液晶表示部６０は、ケーシング３１内において、タッチパネル７０とリモコン制御部８０に挟まれるように配置されている。具体的に、液晶表示部６０は、フルドットマトリクス液晶部６１（以下、液晶部６１と記載）と、３原色ＬＥＤバックライト６２（以下、バックライト６２と記載）と、を有している。
【００６１】
液晶部６１は、液晶及び液晶駆動電極部を含んでいる（図示省略）。液晶部６１は、リモコン制御部８０と電気的に接続されており、リモコン制御部８０によって動作を制御される。
【００６２】
液晶表示部６０は、供給される電流に応じてバックライト６２の輝度及びカラーを切り換えることが可能である。本実施形態においては、液晶表示部６０は、バックライト６２の輝度を強・弱の２段階で切り換えられ、バックライト６２のカラーを青・緑・赤の３パターンで切り換えることが可能である。液晶表示部６０は、リモコン制御部８０と電気的に接続されており、リモコン制御部８０によって、所定のタイミングで液晶部６１を駆動されるとともにバックライト６２の輝度及びカラーを切り換えられる。なお、本実施形態において、バックライト６２は、空調システム１００が冷房運転及び除湿運転を行う場合には青で点灯され、空調システム１００が暖房運転を行う場合には赤で点灯される。また、バックライト６２は、リモコン３０が外部機器１１０と無線通信を行う場合には緑で点灯される。
【００６３】
（２−２−２）タッチパネル７０
タッチパネル７０は、電極の静電容量又は電界の変化を判定することでタッチ入力の有無及びタッチ位置を検出するいわゆる静電容量方式を採用されたタッチパネルである。タッチパネル７０は、液晶表示部６０とカバー３１０の間において、背面部３３よりも前面部３２に近接するように配置されている。また、タッチパネル７０は、前面部３２側（正面側）から見た場合に液晶表示部６０と重畳するように配置されている。換言すると、タッチパネル７０は、室内空間ＳＩ側から見た場合に液晶表示部６０と重畳するように配置されているともいえる。タッチパネル７０は、電極ユニット７１を含む。
【００６４】
（２−２−２−１）電極ユニット７１
図６は、電極ユニット７１の模式図である。電極ユニット７１は、主として、縦方向（Ｙ方向）のタッチ位置検出用の透明電極を複数配設された透明基板と、横方向（Ｘ方向）のタッチ位置検出用の透明電極を複数配設された透明基板と、を含み、両者を重ね合わされて構成されている。電極ユニット７１を正面側（前面部側）から視ると、複数の電極がＸ軸及びＹ軸方向に所定の間隔を置いて並んでいる。
【００６５】
電極ユニット７１は、前面部３２のカバー３１０に隣接して（すなわち、カバー３１０の直後）に配置されている。換言すると、電極ユニット７１は、リモコン３０の正面側に配置されている。
【００６６】
電極ユニット７１は、各タッチ入力部５１を構成するタッチ電極部７２（特許請求の範囲記載の「第１電極部」に相当）と、アンテナ部５２を構成するアンテナ電極部７３（特許請求の範囲記載の「第２電極部」に相当）と、グランド部７４と、を含んでいる。具体的に、図６において、タッチ電極部７２は、囲み線Ａ１で囲われた領域である。アンテナ電極部７３は、囲み線Ｂ１で囲われた領域である。グランド部７４は、囲み線Ｃ１に沿って形成されたグランドパターンであり、グランドに接続されている。
【００６７】
このように電極ユニット７１内には、タッチ電極部７２、アンテナ電極部７３及びグランド部７４が構成されている。すなわち、タッチ電極部７２及びアンテナ電極部７３は、同一の電極ユニット７１内において同一の成分で構成されている。
【００６８】
なお、タッチ電極部７２及びアンテナ電極部７３は、ケーシング３１内において、背面部３３よりも前面部３２に近接している。すなわち、タッチ電極部７２及びアンテナ電極部７３は、リモコン３０の正面側に配置されている。
【００６９】
また、タッチ電極部７２及びアンテナ電極部７３は、前面部３２側（正面側）から見た場合に重畳しないように配置されている。換言すると、タッチ電極部７２及びアンテナ電極部７３は、室内空間ＳＩ側から見た場合に重畳しないように配置されているともいえる。すなわち、タッチ電極部７２及びアンテナ電極部７３は、前面部３２側（又は室内空間ＳＩ側）から見た場合に、互いに外れて配置されている。
【００７０】
タッチ電極部７２内の各電極は、タッチパネル７０のタッチ位置検出用の電極として機能する。具体的に、タッチ電極部７２内の各電極は、リモコン制御部８０と電気的に接続されており、静電容量又は電界が変化するとリモコン制御部８０によってその変化量が検出される。当該変化量に基づき、リモコン制御部８０は、各タッチ入力部５１がタッチされた際にタッチ入力の存在及びタッチ位置を検出する。
【００７１】
アンテナ電極部７３内の各電極は、外部機器１１０と無線通信を行うためのアンテナとして機能する。具体的に、アンテナ電極部７３内の各電極は、リモコン制御部８０と電気的に接続されており、静電容量又は電界が変化すると、リモコン制御部８０によってその変化量を検出される。当該変化量に基づき、リモコン制御部８０は、外部機器１１０から信号が送信された際に、当該信号を検出して受信する。また、アンテナ電極部７３内の各電極は、リモコン制御部８０によって静電容量又は電界を変化させられる。これにより、リモコン制御部８０は、他の通信機器へ信号を送信することが可能である。
【００７２】
このように、電極ユニット７１に含まれる複数の電極の一部は、外部機器１１０と無線通信を行うためのアンテナとして用いられる。すなわち、本実施形態では、本来、タッチ位置検出用の電極として機能する複数の電極の一部が、無線通信用のアンテナとして使用されている。
【００７３】
グランド部７４は、前面部３２側（正面側）から見た場合に、タッチ電極部７２とアンテナ電極部７３の間に位置し、アンテナ電極部７３を囲うように配置されている。換言すると、グランド部７４は、室内空間ＳＩ側から見た場合に、タッチ電極部７２とアンテナ電極部７３の間に位置しているともいえる。このような態様で配置されることで、グランド部７４は、タッチ電極部７２とアンテナ電極部７３との電磁的な干渉を抑制する役割を果たしている。
【００７４】
（２−３）リモコン制御部８０
リモコン制御部８０（特許請求の範囲記載の「タッチ検知部」及び「バックライト制御部」に相当）は、ＣＰＵやメモリ等で構成されるマイクロコンピュータや各種の電気部品を含み、基板に実装されている。リモコン制御部８０は、ケーブルＣ２を介して室内ユニット制御部２２と接続されており、電力の供給を受けるとともに信号の送受信を行う。また、リモコン制御部８０は、配線を介して物理キー電極部４２、電源表示部４３及びタッチスクリーン５０（液晶表示部６０及びタッチパネル７０）と接続されている。リモコン制御部８０は、制御モードとして通常モード及び無線通信モードを有している。無線通信モードは外部機器１１０との近距離無線通信中に選択される制御モードであり、通常モードはそれ以外の場合に選択される制御モードである。
【００７５】
リモコン制御部８０は、主として、第１記憶部８１と、第２記憶部８２と、第１通信制御部８３と、第２通信制御部８４と、入力制御部８５と、表示制御部８６と、通信部８７と、を含んでいる。
【００７６】
（２−３−１）第１記憶部８１、第２記憶部８２
第１記憶部８１及び第２記憶部８２は、ＲＯＭやＲＡＭ等のメモリを含んでいる。
【００７７】
第１記憶部８１は、リモコン制御部８０内の各部において適用される制御プログラムを保持している。当該制御プログラムには、リモコン制御部８０内における各部の処理がプログラミングされている。
【００７８】
第２記憶部８２は、いわゆるワーキングメモリであり、各部からの情報を所定の領域に格納される。また、第２記憶部８２は、所定の設定項目（運転モード、設定温度、設定風量、風向、タイマー設定、時刻、表示言語等）に関してユーザが選択した最新の情報（以下、「設定情報」と称する）及び過去数回分の情報（以下、「運転履歴情報」と称する）を保持している。第２記憶部８２が保持する設定情報や運転履歴情報は、リアルタイムに更新される。
【００７９】
（２−３−２）第１通信制御部８３
第１通信制御部８３は、第２記憶部８２に所定の情報が格納されると、当該情報を取得して所定の処理を行う。具体的に、第１通信制御部８３は、空調システム１００が停止状態に有る場合に物理キー入力情報を取得すると、第２記憶部８２に格納されている設定情報に応じて、所定の制御信号を通信部８７を介して室内ユニット制御部２２に出力する。
【００８０】
また、第１通信制御部８３は、室内ユニット制御部２２から出力された信号を通信部８７を介して入力され、これを解読し、解読した情報を第２記憶部８２に格納する。
【００８１】
（２−３−３）第２通信制御部８４
第２通信制御部８４は、アンテナ電極部７３における静電容量又は電界の変化を検出し、その変化量に基づいて外部機器１１０からアンテナ電極部７３（アンテナ部５２）に送信された信号の有無を判断する。より詳細には、第２通信制御部８４は、アンテナ電極部７３（アンテナ部５２）に送信された１３．５６ＭＨｚの周波数の信号を検出して、通常モードから無線通信モードに切り換える情報（以下、「無線通信モード遷移情報」と称する）を第２記憶部８２に格納する。
【００８２】
また、第２通信制御部８４は、外部機器１１０から送信された信号を解読し、解読した情報（以下、「無線通信情報」と称する）を第２記憶部８２に格納する。また、第２通信制御部８４は、無線通信モード実行中には、所定のタイミングでアンテナ電極部７３の静電容量又は電界を変化させることにより、外部機器１１０に１３．５６ＭＨｚの周波数の信号を送信する。
【００８３】
また、第２通信制御部８４は、外部機器１１０との近距離無線通信が完了すると、無線通信モードから通常モードに切り換える情報（以下、「無線通信モード解除情報」と称する）を第２記憶部８２に格納する。
【００８４】
（２−３−４）入力制御部８５
入力制御部８５は、物理キー電極部４２からの信号を入力されると、所定の情報（以下、当該情報を「物理キー入力情報」と称する）を第２記憶部８２に格納する。
【００８５】
また、入力制御部８５は、第２記憶部８２に無線通信モード遷移情報が格納されていない場合、又は無線通信モード解除情報が格納された場合には、これを取得して通常モードに応じた処理を行う。具体的に、入力制御部８５は、通常モードにおいては、タッチ電極部７２における静電容量又は電界の変化を検出し、その変化量に基づいて各タッチ入力部５１へのタッチ入力の有無を判断するとともに、タッチ入力されたタッチ入力部５１を特定する。入力制御部８５は、タッチ入力されたタッチ入力部５１に応じて、所定の情報（以下、当該情報を「タッチ入力情報」と称する）を第２記憶部８２に格納する。
【００８６】
また、入力制御部８５は、第２記憶部８２に無線通信モード遷移情報が格納された場合には、これを取得して無線通信モードに応じた処理を行う。具体的に、入力制御部８５は、無線通信モードにおいては、タッチ電極部７２における静電容量又は電界の変化の検出を停止する。
【００８７】
（２−３−５）表示制御部８６
表示制御部８６は、第２記憶部８２に所定の情報が格納されると、当該情報を取得して所定の処理を行う。具体的に、表示制御部８６は、空調システム１００が停止状態に有る場合に物理キー入力情報を取得すると、電源表示部４３及びバックライト６２を所定の輝度及びカラーで点灯させるとともに、第２記憶部８２に格納されている設定情報に基づき液晶部６１を駆動させる。また、表示制御部８６は、空調システム１００が運転状態に有る場合に物理キー入力情報を取得すると、電源表示部４３及びバックライト６２を消灯させる。
【００８８】
また、表示制御部８６は、第２記憶部８２に無線通信モード遷移情報が格納されていない場合、又は無線通信モード解除情報が格納された場合には、これを取得して通常モードに応じた処理を行う。具体的に、表示制御部８６は、通常モードにおいては、タッチ入力情報を取得すると、第２記憶部８２に格納されている設定情報に基づき液晶部６１を駆動させる。
【００８９】
また、表示制御部８６は、第２記憶部８２に無線通信モード遷移情報が格納された場合には、これを取得して無線通信モードに応じた処理を行う。具体的に、表示制御部８６は、無線通信モードにおいては、バックライト６２を緑で点灯させる。なお、無線通信モード時には、表示制御部８６は液晶部６１を駆動させない。よって、無線通信モード時、液晶表示部６０では、アイコンや文字等の表示は行われずにバックライト６２が緑で点灯している状態となる。
【００９０】
（２−３−６）通信部８７
通信部８７は、第１通信制御部８３から入力される信号を室内ユニット制御部２２に出力し、室内ユニット制御部２２から入力される信号を第１通信制御部８３に出力する通信回路である。
【００９１】
（３）リモコン制御部８０による処理の流れ
以下、図７を参照して、リモコン制御部８０による処理の流れの一例を説明する。
【００９２】
空調システム１００が停止している状態において物理キー４０が押下されると、リモコン制御部８０は、ステップＳ１０１において、電源表示部４３を点灯させる。また、リモコン制御部８０は、設定情報に基づいて液晶部６１を駆動するとともにバックライト６２を点灯させる。また、リモコン制御部８０は、設定情報に基づき運転を開始させる旨の制御信号を室内ユニット制御部２２に送信する。その後、ステップＳ１０２へ進む。
【００９３】
ステップＳ１０２において、リモコン制御部８０は、物理キー４０が押下されていないか否かを判定する。当該判定がＮＯの場合（すなわち、物理キー４０が押下された場合）には、リモコン制御部８０は、室内ユニット制御部２２に運転を停止させる旨の制御信号を送信した後、液晶部６１の駆動及びバックライト６２の点灯を停止させるとともに電源表示部４３を消灯して処理を終了する。一方、当該判定がＹＥＳの場合（すなわち、物理キー４０が押下されていない場合）には、ステップＳ１０３へ進む。
【００９４】
ステップＳ１０３において、リモコン制御部８０は、アンテナ部５２に所定の信号が送信されているか否か（すなわち、アンテナ電極部７３の静電容量又は電界が所定の変化量で変化しているか否か）を判定する。当該判定がＮＯの場合（すなわち、アンテナ部５２に所定の信号が送信されていない場合）には、ステップＳ１０４へ進む。一方、当該判定がＹＥＳの場合（すなわち、アンテナ部５２に所定の信号が送信されている場合）には、ステップＳ１０７へ進む。
【００９５】
ステップＳ１０４において、リモコン制御部８０は、制御モードを通常モードに決定する。その後、ステップＳ１０５へ進む。
【００９６】
ステップＳ１０５において、リモコン制御部８０は、各タッチ入力部５１にタッチ入力があるか否か（すなわち、タッチ電極部７２の所定の位置における静電容量又は電界が所定の変化量で変化しているか否か）を判定する。当該判定がＮＯの場合（すなわち、各タッチ入力部５１へのタッチ入力がない場合）には、ステップＳ１０２に戻る。一方、当該判定がＹＥＳの場合（すなわち、各タッチ入力部５１へのタッチ入力がある場合）には、ステップＳ１０６へ進む。
【００９７】
ステップＳ１０６において、リモコン制御部８０は、設定情報に基づいて液晶部６１を駆動するとともにバックライト６２を点灯させる。また、リモコン制御部８０は、設定情報に基づき運転させる旨の制御信号を室内ユニット制御部２２に送信する。その後、ステップＳ１０２に戻る。
【００９８】
ステップＳ１０７において、リモコン制御部８０は、制御モードを無線通信モードに決定する。そして、リモコン制御部８０は、液晶部６１の駆動を停止させるとともにバックライト６２を緑で点灯させる。また、リモコン制御部８０は、タッチ入力部５１におけるタッチ入力の検出を停止する。そして、リモコン制御部８０は、外部機器１１０と近距離無線通信により信号の送受信を行う。その後、ステップＳ１０８へ進む。
【００９９】
ステップＳ１０８において、無線通信が完了していない場合には、外部機器１１０との近距離無線通信を継続する。一方で、無線通信が完了した場合には、ステップＳ１０９へ進む。
【０１００】
ステップＳ１０９において、リモコン制御部８０は、無線通信モードを解除する。その後ステップＳ１０２に戻る。
【０１０１】
（４）近距離無線通信において送受信される情報
上述のように、リモコン３０と外部機器１１０とは近距離無線通信が可能であるが、当該無線通信において送受信される情報は特に限定されず、各種の情報が送受信される。
【０１０２】
例えば、空調システム１００の運転開始及び停止、運転モード、設定温度、設定風量、風向、タイマー設定、時刻又は表示言語等の設定項目の変更又は切換えを行わせる各種指示を、外部機器１１０からリモコン３０へ送信することが可能である。また、室外ユニット制御部、室内ユニット制御部２２又はリモコン制御部８０の制御プログラムが更新された場合には、更新後の制御プログラムを外部機器１１０からリモコン３０へ送信することが可能である。また、特定の操作者の入力のみを許容すべく、リモコン３０にセキュリティロック機能をもたせた場合には、セキュリティロックを解除する所定情報を外部機器１１０からリモコン３０へ送信することも可能である。また、空調システム１００の運転履歴を検証するために、運転履歴情報を空調システム１００から外部機器１１０へ送信することも可能である。
【０１０３】
（５）リモコン３０の機能
リモコン３０では、タッチパネル７０に含まれる電極ユニット７１の一部がタッチ電極部７２として機能する一方で、他の部分がアンテナ電極部７３として機能している。このため、タッチパネル７０とは別に近距離無線通信用のアンテナを配置する必要がなく、コスト抑制及びリモコン３０のコンパクト化が実現されている。
【０１０４】
また、リモコン３０では、アンテナ電極部７３がリモコン３０の正面側に配置されている。その結果、外部機器１１０と近距離無線通信を行う際に、外部機器１１０に搭載されるアンテナとアンテナ部５２との信号の送受信が円滑に行われやすい。
【０１０５】
また、リモコン３０では、タッチ電極部７２とアンテナ電極部７３との間にグランド部７４が設けられている。その結果、アンテナ電極部７３とタッチ電極部７２とが電磁的に干渉しにくく、アンテナ電極部７３へのノイズが低減されている。
【０１０６】
また、リモコン３０では、無線通信モードで制御している期間においては、タッチ電極部７２における静電容量又は電界の変化の検出を停止する。すなわち、リモコン３０では、外部機器１１０と無線通信を行っている期間は、各タッチ入力部５１におけるタッチ入力の検出を行わない。その結果、外部機器１１０と無線通信中に、アンテナ電極部７３がノイズを受けにくい。
【０１０７】
また、リモコン３０では、無線通信モードで制御している期間においては、液晶表示部６０はバックライト６２が緑で点灯している状態となる。その結果、リモコン３０と外部機器１１０との間で無線通信が行われる際、無線通信が実行中であることを操作者が認識しやすくなっている。すなわち、液晶表示部６０（バックライト６２）は、無線通信が行われている場合において無線通信中であることを示す表示部として機能する。
【０１０８】
また、無線通信モードで制御している期間においては、液晶表示部６０ではアイコンや文字等の表示が行われないため、アンテナ電極部７３は液晶部６１からのノイズを受けにくい。
【０１０９】
（６）特徴
（６−１）
上記実施形態では、リモコン３０のタッチパネル７０は電極ユニット７１を含み、電極ユニット７１は、タッチ位置検出用の電極として機能するタッチ電極部７２と、外部機器１１０と近距離無線通信を行うためのアンテナとして機能するアンテナ電極部７３と、を有している。すなわち、上記実施形態では、本来、タッチ位置検出用の電極として機能する複数の電極の一部が、無線通信用のアンテナとして使用されている。このように、タッチパネル７０の電極ユニット７１の一部が、近距離無線通信用のアンテナとして機能する結果、リモコン３０では、タッチパネル７０の電極ユニット７１とは別に近距離無線通信用のアンテナを配置する必要がなく、コストが抑制されている。
【０１１０】
また、上記実施形態では、タッチ電極部７２及びアンテナ電極部７３は、ケーシング３１内において、背面部３３よりも前面部３２に近接し、前面部３２側から見た場合に重畳しないように互いに外れて配置されている。これにより、アンテナ電極部７３が、近距離無線通信においてアンテナとしての機能を発揮しやすいようになっている。
【０１１１】
また、上記実施形態では、アンテナとして機能するタッチ電極部７２をリモコン３０の前面部３２側（本体正面側）に配置する一方で、液晶表示部６０（ディスプレイ）の面積を縮小する必要がなく、操作性の低下が抑制されている。
【０１１２】
（６−２）
上記実施形態では、タッチパネル７０は、前面部３２側から見た場合にタッチ電極部７２とアンテナ電極部７３との間に位置するグランド部７４をさらに含む。これにより、アンテナ電極部７３が、タッチ電極部７２からのノイズを受けにくくなっている。
【０１１３】
（６−３）
上記実施形態では、タッチパネル７０のタッチされた位置を検知するリモコン制御部８０を備え、リモコン制御部８０は、外部機器１１０と無線通信が行っている間はタッチ入力の検知を停止する。これにより、外部機器１１０と無線通信中に、アンテナ電極部７３がノイズを受けにくく、通信性能の低下が抑制されている。
【０１１４】
（６−４）
上記実施形態では、リモコン制御部８０は、外部機器１１０との無線通信を実行中には、液晶表示部６０のバックライト６２を所定のカラーで点灯させている。その結果、無線通信が行われている期間には無線通信実行中であることが操作者に示される。これにより、リモコン３０と外部機器１１０とが無線通信を行っているときに、無線通信中であることを操作者が認識しやすいようになっている。
【０１１５】
（６−５）
上記実施形態では、外部機器１１０を介して空調システム１００の各種設定を行う際に、近距離無線通信が行われる。これにより、空調システム１００の各種設定を行う際における操作性が向上している。また、リモコン３０に内蔵するメモリの容量を抑えることも可能となっている。
【０１１６】
（７）変形例
（７−１）変形例Ａ
上記実施形態では、リモコン３０は、空調システム１００に適用されたが、これに限定されない。例えば、リモコン３０は、給湯器や除湿器等のヒートポンプシステムに適用されてもよい。また、リモコン３０は、換気装置や空気清浄機等に適用されてもよい。
【０１１７】
（７−２）変形例Ｂ
上記実施形態では、室内ユニット２０は、いわゆる天井埋込み型のものが採用されたが、これに限定されず、例えば天井吊下げ型、壁掛け型又は床置き型のものであってもよい。
【０１１８】
（７−３）変形例Ｃ
上記実施形態では、リモコン３０は、１台の室内ユニット２０の室内ユニット制御部２２と接続されていたが、これに限定されず、複数台の室内ユニット２０の室内ユニット制御部２２と接続されてもよい。
【０１１９】
また、リモコン３０は、室内ユニット２０の室内ユニット制御部２２とケーブルＣ２で接続されて通信を行っていた。しかし、これに限定されず、赤外線等により無線通信を行ってもよい。係る場合、ケーブルＣ２を省略する一方で、リモコン３０に電池等の電源を配設してリモコン３０の各部に電源を供給すればよい。
【０１２０】
また、リモコン３０を、室内ユニット制御部２２ではなく、室外ユニット制御部と接続するようにしてもよい。係る場合、室外ユニット制御部を経由して室内ユニット制御部２２にリモコン３０からの信号が送信されることとなる。
【０１２１】
（７−４）変形例Ｄ
上記実施形態では、リモコン３０は、側壁ＳＷに設置されていた。しかし、リモコン３０は、必ずしも側壁ＳＷに設置される必要はない。例えば、リモコン３０は、他の場所に設置されてもよいし、特定の場所に固定されなくてもよい。
【０１２２】
また、上記実施形態では、リモートコントロール装置としてリモコン３０が採用された。しかし、これに限定されず、リモートコントロール装置として、例えばスマートフォンやタブレットＰＣ等の情報端末を採用してもよい。
【０１２３】
（７−５）変形例Ｅ
上記実施形態では、リモコン３０と外部機器１１０との間で行われる無線通信は、近距離無線通信（NFC, Near Field Communication）であったが、特にこれに限定されない。例えば、ISO/IEC 14443やBluetooth（登録商標）等の他の通信規格に基づく無線通信であってもよい。
【０１２４】
（７−６）変形例Ｆ
上記実施形態では、外部機器１１０と無線通信が行われている場合は、無線通信が行われていることを操作者に示すべく、バックライト６２を緑で点灯していたが、バックライト６２を点灯させるカラーは、特に限定されず他のカラーであってもよい。また、当該場合においてバックライト６２を一定周期で点滅させるようにしてもよい。また、当該場合において、液晶部６１を駆動させて、液晶表示部６０において無線通信中であることを示すアイコンや文字を表示させるようにしてもよい。
【０１２５】
また、当該場合において、バックライト６２を点灯させずに或いはバックライト６２とともに、電源表示部４３を所定のカラーで点灯若しくは点滅させるようにしてもよい。係る場合、電源表示部４３は、無線通信が行われている場合において無線通信中であることを示す表示部として機能する。また、バックライト６２や電源表示部４３とは別にＬＥＤ等の表示部を配設して、無線通信中にこれを点灯又は点滅させるようにしてもよい。
【０１２６】
（７−７）変形例Ｇ
上記実施形態では、アンテナ電極部７３は、タッチパネル７０の電極ユニット７１に設けられていた。しかし、これに限定されず、アンテナ電極部７３を液晶部６１の液晶駆動電極に設けてリモコン３０を構成してもよい。
【０１２７】
（７−８）変形例Ｈ
上記実施形態では、図３又は図６に示すように、各タッチ入力部５１（タッチ電極部７２）、アンテナ部５２（アンテナ電極部７３）及びグランド部７４は、電極ユニット７１において所定の位置に配置されていた。しかし、各タッチ入力部５１（タッチ電極部７２）、アンテナ部５２（アンテナ電極部７３）及びグランド部７４の配置は、これに限定されず、どのような態様であってもよい。例えば、各タッチ入力部５１（タッチ電極部７２）、アンテナ部５２（アンテナ電極部７３）及びグランド部７４は、図８に示すような態様で配置されてもよい。
【０１２８】
図８に示すリモコン３０ａでは、アンテナ部５２（アンテナ電極部７３）は、リモコン３０における第５タッチ入力部５１ｅの位置に配置されており、各タッチ入力部５１（タッチ電極部７２）よりも上方に位置している。これに伴い、グランド部７４も各タッチ入力部５１（タッチ電極部７２）よりも上方に位置しており、タッチ電極部７２とアンテナ電極部７３の間においてアンテナ部５２（アンテナ電極部７３）を囲うように配置されている。また、第５タッチ入力部５１ｅがリモコン３０におけるアンテナ部５２（アンテナ電極部７３）の位置に配置されている。リモコン３０ａのその他の構成は、リモコン３０と略同一である。
【０１２９】
（７−９）変形例Ｉ
タッチパネル７０は、いわゆる静電容量方式を採用されていた。しかし、タッチパネル７０は、他の方式を採用されてもよい。例えば、タッチパネル７０は、タッチされることによって対向する２枚の電極基板同士が接触した時の電圧の変化を検知する、いわゆる抵抗膜方式のタッチパネルを採用されてもよい。
【産業上の利用可能性】
【０１３０】
本発明は、リモートコントロール装置に利用可能である。
【符号の説明】
【０１３１】
１０    室外ユニット
２０    室内ユニット
２２    室内ユニット制御部
３０、３０ａ    リモコン（リモートコントロール装置）
３１    ケーシング
３２    前面部
３３    背面部
４０    物理キー
４３    電源表示部
５０    タッチスクリーン
５１    タッチ入力部
５２    アンテナ部
６０    液晶表示部
６１    液晶部
６２    バックライト
７０    タッチパネル
７１    電極ユニット
７２    タッチ電極部（第１電極部）
７３    アンテナ電極部（第２電極部）
７４    グランド部
８０    リモコン制御部（タッチ検知部、バックライト制御部）
１００    空調システム（空調機）
１１０    外部機器（通信装置）
３１０    カバー
Ｃ２    ケーブル
ＳＩ    室内空間
ＳＷ    側壁
【先行技術文献】
【特許文献】
【０１３２】
【特許文献１】特開２０１３−１７１０８号公報
【図１】
2018124056.tif 000003
【図２】
2018124056.tif 000004
【図３】
2018124056.tif 000005
【図４】
2018124056.tif 000006
【図５】
2018124056.tif 000007
【図６】
2018124056.tif 000008
【図７】
2018124056.tif 000009
【図８】
2018124056.tif 000010